【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
プレイヤーの操作により動作する景品取得手段でもって景品展示空間内の景品を掴持し、景品受入口に搬出する景品取得遊戯装置において、
該景品取得遊戯装置の略中央に景品、映像表示手段等が配置された中央ユニットと、
該中央ユニットの外周に略環状に配置された複数のサテライトユニットとからなり、
該複数のサテライトユニットにそれぞれ付設された景品展示空間は箱状に形成され、
該景品展示空間の左右いずれか一方に隣接した景品受入空間の底部に景品受入口が設けられ、
前記景品展示空間の頂部に天井走行クレーン型景品取得装置がそれぞれ配設され、
該天井走行クレーン型景品取得装置は、前記景品展示空間の頂部に位置して該景品展示空間を仕切る外側壁と略平行に架設された横行用固定レールと、該横行用固定レールに左右へ横行自在に設けられた縦行用移動レールと、該縦行用移動レールに前後へ縦行自在に設けられた昇降手段と、該昇降手段の下部に設けられる景品を掴持することができる景品掴持手段とよりなることを特徴とする景品取得遊戯装置。
【請求項２】
前記景品展示空間の外側面には、透明板が左右に移動可能に設けられるとともに、該透明板により前記景品空間の外面が密閉される位置関係にて前記透明板を錠止しうる錠止手段が設けられたことを特徴とする請求項１記載の景品取得遊戯装置。
【請求項３】
前記透明板は、各サテライトに付設された景品受入口側に移動するのみならず、当該サテライトに隣接したサテライトの景品受入口側にも移動しうることを特徴とする請求項１または請求項２記載の景品取得遊戯装置。
【請求項４】
プレイヤーの操作により、景品取得手段を駆動し、景品展示空間内の景品を取得して景品取出口に搬出する景品取得遊戯装置において、
景品取得状況を撮影する景品取得状況撮影カメラと、
プレイヤーを撮影するプレイヤー撮影カメラと、
これらカメラのいずれか一方または両方により撮影された映像を記録する映像記録手段と、
前記カメラで撮影された映像あるいは前記映像記録手段に記録された映像を表示する表示手段とを有することを特徴とする景品取得遊戯装置。
【請求項５】
プレイヤーの操作により、景品取得手段を駆動し、景品展示空間内の景品を取得して景品取得口に搬出する景品取得遊戯装置において、
前記景品取得装置に設けられた第１カメラと、
前記景品展示空間内の状況を撮影する第２カメラと、
プレイヤーを撮影する第３カメラと、
これらカメラのいずれかあるいは全てにより撮影された映像を記録する映像記録手段と、
前記カメラで撮影された映像あるいは前記映像記録手段に記録された映像を表示する映像表示手段とを有することを特徴とする景品取得遊戯装置。
【請求項６】
景品取得を検出する景品取得検出手段を有し、
該景品取得検出手段の検出により、プレイヤーの撮影が可能となり、前記プレイヤーの映像が前記映像記録手段に記録され、該映像記録手段に記録されたプレイヤーの映像が前記映像表示手段に表示されることを特徴とする請求項１または請求項５記載の景品取得遊戯装置。
【請求項７】
プレイヤーの操作により、景品掴持手段を駆動し、景品展示空間内の景品を掴持して景品受入口に搬出する景品取得遊戯装置において、
該景品取得遊戯装置の略中央に、水平面に沿って旋回自在に回転しうるターンテーブルを備えた中央ユニットと、
該中央ユニットの外周に略環状に配置された複数のサテライトユニットとからなり、
前記サテライトユニットには、景品が載置される景品展示空間と、プレイヤーが該景品展示空間内の景品を見ながら操作することができる操作手段と、該操作手段により駆動される景品取得手段と、該景品取得手段により取得された景品を上方から受入れることができる景品受入口と、前記景品取得手段により取得されて、前記景品受入口を落下したことを検出する景品取得検出手段とが設けられ、
前記景品取得検出手段が、前記景品受入口に景品が落下して景品取得が成功したことを検出した場合には、前記中央ユニットのターンテーブルが回転することを特徴とする景品取得遊戯装置。
【請求項８】
プレイヤーの操作により、景品掴持手段を駆動し、景品展示空間内の景品を掴持して景品受入口に搬出する景品取得遊戯装置において、
該景品取得遊戯装置の略中央に、水平面に沿って旋回自在に回転しうるターンテーブルと、該ターンテーブルに設けられた映像表示手段と、後記サテライトユニットに対峙するプレイヤーを撮影することができるプレイヤー撮影カメラとを有する中央ユニットと、
該中央ユニットの外周に略環状に配置された複数のサテライトユニットとからなり、
前記サテライトユニットには、景品が載置される景品展示空間と、プレイヤーが該景品展示空間内の景品を見ながら操作することができる操作手段と、該操作手段により駆動される景品取得手段と、該景品取得手段により取得された景品を受入れることができる景品受入口と、前記景品取得手段により取得されて、前記景品受入口を通ったことを検出する景品取得検出手段とが設けられ、
前記景品取得検出手段が、前記景品受入口に景品が落下して景品取得が成功したことを検出した場合には、前記中央ユニットのターンテーブルが回転し、
景品取得に成功したサテライトユニットに、該中央ユニットの映像表示手段が正対するとともに該サテライトユニットにて景品取得に成功したプレイヤーを前記中央ユニットのプレイヤー映像カメラが撮影し、前記映像表示手段に景品取得成功プレイヤーの映像が表示されることを特徴とする景品取得遊戯装置。
【請求項９】
プレイヤーの操作により、景品取得手段を駆動し、景品展示空間内の景品を取得して景品取得口に搬出する景品取得遊戯装置において、
前記景品取得手段に設けられた第１カメラと、
前記景品展示空間内の状況を撮影する第２カメラと、
前記第１カメラと第２カメラにより撮影された映像を録画する録画手段と、
映像を表示する表示手段と、
前記第１カメラと第２カメラおよび録画手段を制御して前記表示手段に表示させる制御手段とを備え、
前記制御手段は、前記第１カメラで撮影された前記景品取得手段から見たライブ映像と前記第２カメラで撮影された景品展示空間のライブ映像と前記録画手段が録画した映像とをプレイの進行状況に応じて切り換えて前記表示手段に表示させることを特徴とする景品取得遊戯装置。
【請求項１０】
プレイヤーの操作により景品取得手段を駆動し、景品展示空間内の景品を取得して景品取得口に搬出する景品取得装置をサテライトユニットとして中央ユニットの周囲に複数配設した景品取得遊戯装置において、
前記中央ユニットには、移動手段により旋回移動して各サテライトユニットに正対することができる映像を表示する表示手段が設けられ、
前記サテライトユニットには、前記景品展示空間内を撮影する少なくとも１つのカメラが設けられ、
制御手段が、前記移動手段、前記表示手段、前記カメラを制御して、各サテライトユニットでのプレイ進行状況に応じて前記表示手段を旋回移動して所要のサテライトユニットに正対させ、該サテライトユニットのカメラにより撮影されたライブ映像を表示手段に表示させることを特徴とする景品取得遊戯装置。
【請求項１１】
前記制御手段は、プレイの進行が最も早いサテライトユニットを選択して該サテライトユニットに前記表示手段を旋回移動して正対させることを特徴とする請求項１０記載の景品取得遊戯装置。
【請求項１２】
前記サテライトユニットには前記カメラで撮影された映像を録画する録画手段を備え、
前記制御手段は、前記カメラにより撮影されたライブ映像または前記録画手段が録画した映像を前記表示手段に表示させることを特徴とする請求項１０または請求項１１記載の景品取得遊戯装置。
【手続補正２】
【補正対象書類名】明細書
【補正対象項目名】００１１
【補正方法】変更
【補正の内容】
【００１１】
請求項１記載の発明は、プレイヤーの操作により動作する景品取得手段でもって景品展示空間内の景品を掴持し、景品受入口に搬出する景品取得遊戯装置において、該景品取得遊戯装置の略中央に景品、映像表示手段等が配置された中央ユニットと、該中央ユニットの外周に略環状に配置された複数のサテライトユニットとからなり、該複数のサテライトユニットにそれぞれ付設された景品展示空間は箱状に形成され、該景品展示空間の左右いずれか一方に隣接した景品受入空間の底部に景品受入口が設けられ、前記景品展示空間の頂部に天井走行クレーン型景品取得装置がそれぞれ配設され、該天井走行クレーン型景品取得装置は、前記景品展示空間の頂部に位置して該景品展示空間を仕切る外側壁と略平行に架設された横行用固定レールと、該横行用固定レールに左右へ横行自在に設けられた縦行用移動レールと、該縦行用移動レールに前後へ縦行自在に設けられた昇降手段と、該昇降手段の下部に設けられる景品を掴持することができる景品掴持手段とよりなることを特徴とする景品取得遊戯装置である。
【手続補正３】
【補正対象書類名】明細書
【補正対象項目名】００１２
【補正方法】変更
【補正の内容】
【００１２】
請求項２記載の発明は、前記景品展示空間の外側面には、透明板が左右に移動可能に設けられるとともに、該透明板により前記景品空間の外面が密閉される位置関係にて前記透明板を錠止しうる錠止手段が設けられたことを特徴とする請求項１記載の景品取得遊戯装置である。
【手続補正４】
【補正対象書類名】明細書
【補正対象項目名】００１３
【補正方法】変更
【補正の内容】
【００１３】
請求項３記載の発明は、前記透明板は、各サテライトに付設された景品受入口側に移動するのみならず、当該サテライトに隣接したサテライトの景品受入口側にも移動しうることを特徴とする請求項１または請求項２記載の景品取得遊戯装置である。
【手続補正５】
【補正対象書類名】明細書
【補正対象項目名】００１４
【補正方法】変更
【補正の内容】
【００１４】
請求項４記載の発明は、プレイヤーの操作により、景品取得手段を駆動し、景品展示空間内の景品を取得して景品取出口に搬出する景品取得遊戯装置において、景品取得状況を撮影する景品取得状況撮影カメラと、プレイヤーを撮影するプレイヤー撮影カメラと、これらカメラのいずれか一方または両方により撮影された映像を記録する映像記録手段と、前記カメラで撮影された映像あるいは前記映像記録手段に記録された映像を表示する表示手段とを有することを特徴とする景品取得遊戯装置である。
【手続補正６】
【補正対象書類名】明細書
【補正対象項目名】００１５
【補正方法】変更
【補正の内容】
【００１５】
請求項５記載の発明は、プレイヤーの操作により、景品取得手段を駆動し、景品展示空間内の景品を取得して景品取得口に搬出する景品取得遊戯装置において、前記景品取得装置に設けられた第１カメラと、前記景品展示空間内の状況を撮影する第２カメラと、プレイヤーを撮影する第３カメラと、これらカメラのいずれかあるいは全てにより撮影された映像を記録する映像記録手段と、前記カメラで撮影された映像あるいは前記映像記録手段に記録された映像を表示する映像表示手段とを有することを特徴とする景品取得遊戯装置である。
【手続補正７】
【補正対象書類名】明細書
【補正対象項目名】００１６
【補正方法】変更
【補正の内容】
【００１６】
請求項６記載の発明は、景品取得を検出する景品取得検出手段を有し、該景品取得検出手段の検出により、プレイヤーの撮影が可能となり、前記プレイヤーの映像が前記映像記録手段に記録され、該映像記録手段に記録されたプレイヤーの映像が前記映像表示手段に表示されることを特徴とする請求項４または請求項５記載の景品取得遊戯装置である。
【手続補正８】
【補正対象書類名】明細書
【補正対象項目名】００１７
【補正方法】変更
【補正の内容】
【００１７】
請求項７記載の発明は、プレイヤーの操作により、景品掴持手段を駆動し、景品展示空間内の景品を掴持して景品受入口に搬出する景品取得遊戯装置において、該景品取得遊戯装置の略中央に、水平面に沿って旋回自在に回転しうるターンテーブルを備えた中央ユニットと、該中央ユニットの外周に略環状に配置された複数のサテライトユニットとからなり、前記サテライトユニットには、景品が載置される景品展示空間と、プレイヤーが該景品展示空間内の景品を見ながら操作することができる操作手段と、該操作手段により駆動される景品取得手段と、該景品取得手段により取得された景品を上方から受入れることができる景品受入口と、前記景品取得手段により取得されて、前記景品受入口を落下したことを検出する景品取得検出手段とが設けられ、前記景品取得検出手段が、前記景品受入口に景品が落下して景品取得が成功したことを検出した場合には、前記中央ユニットのターンテーブルが回転することを特徴とする景品取得遊戯装置である。
【手続補正９】
【補正対象書類名】明細書
【補正対象項目名】００１８
【補正方法】変更
【補正の内容】
【００１８】
請求項８記載の発明は、プレイヤーの操作により、景品掴持手段を駆動し、景品展示空間内の景品を掴持して景品受入口に搬出する景品取得遊戯装置において、該景品取得遊戯装置の略中央に、水平面に沿って旋回自在に回転しうるターンテーブルと、該ターンテーブルに設けられた映像表示手段と、後記サテライトユニットに対峙するプレイヤーを撮影することができるプレイヤー撮影カメラとを有する中央ユニットと、該中央ユニットの外周に略環状に配置された複数のサテライトユニットとからなり、前記サテライトユニットには、景品が載置される景品展示空間と、プレイヤーが該景品展示空間内の景品を見ながら操作することができる操作手段と、該操作手段により駆動される景品取得手段と、該景品取得手段により取得された景品を受入れることができる景品受入口と、前記景品取得手段により取得されて、前記景品受入口を通ったことを検出する景品取得検出手段とが設けられ、前記景品取得検出手段が、前記景品受入口に景品が落下して景品取得が成功したことを検出した場合には、前記中央ユニットのターンテーブルが回転し、景品取得に成功したサテライトユニットに、該中央ユニットの映像表示手段が正対するとともに該サテライトユニットにて景品取得に成功したプレイヤーを前記中央ユニットのプレイヤー映像カメラが撮影し、前記映像表示手段に景品取得成功プレイヤーの映像が表示されることを特徴とする景品取得遊戯装置である。